(57)【要約】【課題】遊技台上側に配置されている呼出ランプユニットの視認性を阻害せず、紙幣詰まりの発生が少ない遊技台用台間機の入金装置を提案すること。【解決手段】遊技台用台間機７の上側には遊技島前面パネル９に形成した開口部９ａから入金装置８のケース本体部分１３が挿入され、当該入金装置８はそのロック・アンロック機構１４によって遊技島前面パネル９に固定されている。ケース本体部分１３の内部には紙幣収納部２５が形成され、前面１５に形成した紙幣挿入口２１から挿入された紙幣は直線状の水平搬送路２２に沿って平面状態で水平に搬送されてそのままの状態で紙幣収納部２５に収納される。最も大きなスペースを必要とする紙幣収納部２５が遊技島前面パネル９の背面側に挿入されており、当該遊技島前面パネル９から前方への突出量Ｌが少なく呼出ランプユニット６の視認性を阻害しない。紙幣は直線状の水平搬送路２２に沿って搬送されて平面状態のまま紙幣収納部２５に収納され、紙幣詰まりが発生しない。【選択図】      図２
2004195036.tif 000002
【特許請求の範囲】
【請求項１】
遊技台に隣接配置されている台間機の上側に配置される遊技台用台間機の入金装置において、
前記遊技台および前記台間機の上側に配置されている遊技島前面パネルに形成した入金装置装着用の開口部から、少なくとも一部分が当該遊技島前面パネルの背面側に挿入された状態で、当該遊技島前面パネルに固定可能であることを特徴とする遊技台用台間機の入金装置。
【請求項２】
請求項１において、
紙幣挿入口と、当該紙幣挿入口から挿入された紙幣の真偽を判別する識別部と、当該識別部によって真札であると判別された紙幣を収納する紙幣収納部とを有し、
前記紙幣収納部が前記入金装置装着用の開口部から前記遊技島前面パネルの背面側に挿入された状態で、当該遊技島前面パネルに固定可能であることを特徴とする遊技台用台間機の入金装置。
【請求項３】
請求項２において、
前記紙幣収納部は平面状態の紙幣を厚さ方向に積層して収納するものであることを特徴とする遊技台用台間機の入金装置。
【請求項４】
請求項２または３において、
前記紙幣収納部は、前記遊技島前面パネルに固定された状態において、前記遊技島前面パネルの直交方向、あるいは当該直交方向に対して傾斜した方向に突出していることを特徴とする遊技台用台間機の入金装置。
【請求項５】
請求項２、３、４または５において、
前記紙幣挿入口から挿入された紙幣を前記紙幣収納部に向けて搬送する紙幣搬送路は直線状搬送路であることを特徴とする遊技台用台間機の入金装置。
【請求項６】
請求項５において、
前記紙幣収納部は、前記直線状搬送路に沿って搬送されてきた紙幣を、当該直線状搬送路に直交する方向に積層するものであることを特徴とする遊技台用台間機の入金装置。
【請求項７】
請求項２ないし６のうちのいずれかの項において、
内部に前記識別部および前記紙幣収納部が形成されている装置ケースと、
前記装置ケースを前記遊技島前面パネルに固定すると共に当該遊技島前面パネルに対する固定を解除するロック・アンロック機構とを有し、
前記装置ケースの前面に前記紙幣挿入口が形成されていることを特徴とする遊技台用台間機の入金装置。
【請求項８】
請求項２ないし６のうちのいずれかの項において、
内部に前記識別部および前記紙幣収納部が形成されている装置ケースと、
当該装置ケースに対して着脱可能に装着された前記紙幣収納部と、
当該紙幣収納部を前記装置ケースに対して着脱するために、当該装置ケースに形成した着脱用開口部と、
当該着脱用開口部から前記装置ケースに装着された前記紙幣収納部を当該装置ケースに固定すると共に当該装置ケースに対する固定を解除するロック・アンロック機構とを有し、
前記装置ケースの前面に、前記紙幣挿入口および前記着脱用開口部が形成されていることを特徴とする遊技台用台間機の入金装置。
【請求項９】
請求項１ないし８のうちのいずれかの項において、
前記紙幣挿入口は、紙幣を、その短辺側の縁からその長辺方向に沿って挿入可能なものであることを特徴とする遊技台用台間機の入金装置。
【発明の詳細な説明】
【０００１】
【発明の属する技術分野】
本発明は、磁気カードやＩＣカードなどを用いてパチンコ玉などの遊技媒体の貸し出しを行う遊技台用台間機に、紙幣による入金機能を追加するために用いるのに適した遊技台用台間機の入金装置に関するものである。
【０００２】
【従来の技術】
パチンコ台などの遊技台の間には、磁気カードやＩＣカードによりパチコン玉などの遊技媒体を貸し出すプリペイドカード式の台間機が設置されている。台間機のカード挿入口にＩＣカードなどのプリペイドカードを挿入すると、そこに記憶保持されている金額情報に応じて、台間機から、あるいは遊技台から直接に、パチンコ玉などの遊技媒体が貸し出されるようになっている。
【０００３】
このような台間機としては、紙幣などの入金機能を備え、磁気カードやＩＣカードの金額情報を更新可能なものが知られている。例えば、下記の特許文献にはかかる更新機能を備えた遊技システムにおけるカード情報更新装置が開示されている。
【０００４】
かかる入金機能を備えたプリペイドカード式の台間機には紙幣識別装置が搭載されており、紙幣識別装置に対して紙幣がその長手方向に沿って挿入されるようになっている。遊技者によって挿入された紙幣は、紙幣識別装置内で真偽が判別され、真札であると判別された紙幣は、台間機の背面側に送り出される。遊技島の遊技台および台間機の背面側には遊技媒体の搬送経路と共に紙幣搬送経路が配置されている。台間機背面側に送り出された紙幣は、この紙幣搬送路に沿って搬送され、遊技島の端に設置されている金庫に集められる。金庫に回収された紙幣は、遊技店の閉店後などに店員によって回収される。
【０００５】
ここで、入金機能を備えていないプリペイドカード式の台間機が設置されている遊技店において、入金機能付きの台間機を導入するためには、各台間機で取り込まれた紙幣を搬送するための搬送システムを遊技島に設置する必要がある。しかしながら、遊技店によっては、遊技島における遊技台および台間機の背面に搬送システムを設置可能なスペースを取れない場合がある。この場合には、遊技島全体のレイアウト変更が必要になってしまう。
【０００６】
そこで、紙幣識別機能および紙幣収納機能を備えた入金装置を各台間機の上部などに外付けし、各入金装置の入金情報を台間機に送信して、ＩＣカードなどの金額情報を更新するようにすれば、紙幣搬送機構の設置が不要になり、遊技島の全体レイアウトの変更も不要になる。このような入金装置は、例えば、下記の非特許文献の４３頁に開示されている。この入金装置は、紙幣識別部と紙幣収納部を備え、その下面に形成した紙幣挿入口から長手方向に紙幣を挿入する方式を採りながら、紙幣の全長より短い高さ寸法の本体内に、挿入された紙幣を湾曲状の搬送路に沿って搬送して、ロール状に巻き取りながら収納する構造となっている。
【０００７】
【特許文献１】
特開２００１−３２７７４６号公報
【０００８】
【非特許文献１】
「島構造新時代，▲１▼紙幣搬送の技術革新」，遊技通信，２００２年１１月，ｐ４０−４３
【０００９】
【発明が解決しようとする課題】
しかしながら、このような外付けの入金装置を各台間機の上部に取り付けた場合には次のような弊害が発生する惧れがある。
【００１０】
各遊技台の上側には呼出ランプユニットが取り付けられており、この呼出ランプユニットには、遊技台故障時などの際の呼出ボタン、呼出ボタンの操作により点滅する呼出ランプ、大当たり回数などの遊技履歴情報の表示画面などが取り付けられている。従って、台間機の上側に入金装置を取り付けると、隣接している遊技台の呼出ランプユニットの間に入金装置が位置した状態になる。入金装置が呼び出しランプユニットよりも前方に突出している場合には、入金装置が障害となって、ランプの点滅状態を店員が横方から確認することが困難あるいは不可能になってしまう。
【００１１】
また、入金装置を小型化するために、紙幣をロール状に丸めた状態で収納する構造を採用した場合には、挿入された紙幣の搬送路が湾曲状となり、また、紙幣をロール状に巻き取って収納するために、内部で紙幣詰まりが発生し易い。紙幣が詰まると、店員などによって入金装置から紙幣を除去するなどの回復操作が必要であり、その間、遊技者は待っていなければならない。このような時間は、たとえ、僅かであっても、遊技者にとっては苦痛である。
【００１２】
本発明の課題は、このような点に鑑みて、前方への突出量が少なく、紙幣詰まりの起こり難い遊技台用台間機の入金装置を提案することにある。
【００１３】
【課題を解決するための手段】
上記の課題を解決するために、本発明は、遊技台に隣接配置されている台間機の上側に配置される遊技台用台間機の入金装置において、
前記遊技台および前記台間機の上側に配置されている遊技島前面パネルに形成した入金装置装着用の開口部から、少なくとも一部分が当該遊技島前面パネルの背面側に挿入された状態で、当該遊技島前面パネルに固定可能であることを特徴としている。
【００１４】
本発明では、入金装置の一部分が遊技島前面パネルの背面側に挿入されているので、遊技島前面パネルから前方への突出量を少なくできる。よって、各遊技台の上側に配置されている呼出ランプユニットの視認性の悪化を防止できる。
【００１５】
ここで、入金装置は、紙幣挿入口と、当該紙幣挿入口から挿入された紙幣の真偽を判別する識別部と、当該識別部によって真札であると判別された紙幣を収納する紙幣収納部とを有した構成とすることができる。紙幣収納部が最も大きなスペースを必要とする部分である。よって、前記紙幣収納部が前記入金装置装着用の開口部から前記遊技島前面パネルの背面側に挿入された状態で、当該遊技島前面パネルに固定可能とすれば、入金装置における遊技島前面パネルから前方への突出量を大幅に低減できる。
【００１６】
また、入金装置の内部で紙幣詰まりの発生を抑制あるいは回避するためには、前記紙幣収納部を、平面状態の紙幣を厚さ方向に積層して収納する構造にすることが望ましい。
【００１７】
この場合、前記遊技島前面パネルに固定された状態において、前記紙幣収納部を、前記遊技島前面パネルに対して直交方向に突出させればよい。遊技島前面パネルの背面側への突出量を少なくするためには、紙幣収納部を、遊技島前面パネルの直交方向に対して傾斜した方向に突出させればよい。
【００１８】
さらに、入金装置内部での紙幣詰まりを防止するためには、紙幣搬送路を単純化することが望ましい。すなわち、前記紙幣挿入口から挿入された紙幣を前記紙幣収納部に向けて搬送する紙幣搬送路を直線状搬送路にすることが望ましい。
【００１９】
また、この場合、前記紙幣収納部を、前記直線状搬送路に沿って搬送されてきた紙幣を当該直線状搬送路に直交する方向に積層する構成とすれば、紙幣収納部まで搬送されてきた紙幣を直交方向に押すだけで紙幣収納部に収納できる。また、紙幣を平面状態のまま搬送して収納できるので、紙幣詰まりが発生する危険性を大幅に低減できる。
【００２０】
次に、入金装置の紙幣収納部に収納された紙幣の回収は、入金装置を遊技島前面パネルから取り外して行うようにすればよい。この場合に、内部に前記識別部および前記紙幣収納部が形成されている装置ケースと、当該装置ケースを前記遊技島前面パネルに固定すると共に当該遊技島前面パネルに対する固定を解除するロック・アンロック機構とを有し、前記装置ケースの前面に前記紙幣挿入口を形成した構成とすればよい。
【００２１】
この代わりに、入金装置の紙幣収納部のみを取り出して紙幣を回収するようにしてもよい。この場合には、内部に前記識別部および前記紙幣収納部が形成されている装置ケースと、当該装置ケースに対して着脱可能に装着された前記紙幣収納部と、当該紙幣収納部を前記装置ケースに対して着脱するために、当該装置ケースに形成した着脱用開口部と、当該着脱用開口部から前記装置ケースに装着された前記紙幣収納部を当該装置ケースに固定すると共に当該装置ケースに対する固定を解除するロック・アンロック機構とを有し、前記装置ケースの前面に、前記紙幣挿入口および前記着脱用開口部が形成された構成を採用すればよい。
【００２２】
次に、前記紙幣挿入口は、紙幣を、その短辺側の縁からその長辺方向に沿って挿入可能なものとすることができる。
【００２３】
【発明の実施の形態】
以下に、図面を参照して、本発明を適用した遊技台用台間機の入金装置を備えた遊技システムを説明する。
【００２４】
図１は本実施の形態に係る遊技システムを示す部分正面図であり、図２はその入金装置の内部構成および制御系を示す説明図であり、図３は入金装置を取り出して示す斜視図である。本実施の形態に係る遊技システム１の基本的な構成は一般的なものであり、遊技島２を構成するための遊技島取り付け枠３と、この遊技島取り付け枠３に沿って取り付けられた複数の遊技ユニット４とを有している。各遊技ユニット４は、パチンコ台やスロット台などの遊技台５と、当該遊技台５の上側に配置されている呼出ランプユニット６と、遊技台５の左側に隣接配置されているプリペイドカード式の台間機７と、当該台間機７の上側に配置されている紙幣用の入金装置８とを備えている。
【００２５】
各遊技台５は一定の隙間をあけて遊技島取り付け枠３に取り付けられており、遊技台５の間の隙間に、台間機７が差し込まれて遊技島取り付け枠３に固定されている。また、各遊技台５の上側に配置されている呼出ランプユニット６は、遊技島取り付け枠３に固定された垂直な遊技島前面パネル９の前面９ａに固定されている。各台間機７の上側の入金装置８は、後述のように、遊技島前面パネル９に対して着脱可能に固定されている。
【００２６】
プリペイドカード式の台間機７は一般的に用いられているものと同様であり、その前面の下側部分にカード挿入口７ａが形成されており、その中ほどの位置には表示画面付きの操作部７ｂが配置されており、内部には、カードリーダライタ（図示せず）、遊技台５、入金装置８および外部の管理コンピュータ１０との間で通信を行うための通信ユニット７ｃ、およびこれらの駆動を制御するための制御ユニット７ｄなどが内蔵されている。台間機７は、カード挿入口７ａからＩＣカード、磁気カードなどからなるプリペイドカードが挿入されると、そこに記録されている金額情報の範囲内で、操作部７ｂから入力される数量の遊技媒体を隣接の遊技台５に貸し出す。また、入金装置８からの入金情報を受信すると、プリペイドカードの金額情報を更新して、入金額に対応する金額を加算した金額情報に書き換える。
【００２７】
次に、入金装置８は、図３から良く分かるように、その装置ケース１１が前後に長い直方体形状をしており、その前端部分１２は、それ以外のケース本体部分１３よりも僅かに上下左右の寸法が大きく、遊技島前面パネル９から前方に突出している。すなわち、遊技島前面パネル９には、その台間機７の上側の部位に、この前端部分１２が丁度はまり込む大きさの長方形の開口部９ｂが形成されている。この開口部９ｂから、入金装置８のケース本体部分１３が後端側から遊技島前面パネル９の背面側に挿入され、その前端部分１２の後端が丁度、遊技島前面パネル９の裏面９ｃに一致した状態とされている。
【００２８】
装置ケース１１には、開口部９ｂの上端縁部分に対して係合可能な位置およびそこから外れた位置に移動可能なロック片１４ａを備えたロック・アンロック機構１４が取り付けられている。このロック・アンロック機構１４によって装置ケース１１は遊技島前面パネル９に固定される。また、必要に応じてロック解除キー（図示せず）を装置ケース１１の前面１５に取り付けた鍵穴１４ｃから差し込み、ロック片１４ａによるロックを解除可能である。ロックが解除されると、入金装置８を、遊技島前面パネル９から取り外すことができる。なお、ロック・アンロック機構１４は電子鍵などのような他の形式のものも採用できることは勿論である。
【００２９】
装置ケース１１の前面１５には、その下側部分に水平に紙幣挿入口２１が形成されており、装置ケース１１の内部には、紙幣挿入口２１から後端側に向けて水平に挿入された紙幣をそのまま水平に搬送する水平搬送路２２（図２において点線で示す。）が形成されている。装置ケース１１の前端部分１２の内部に位置している水平搬送路２２の部位には、当該部位を搬送される紙幣の真偽を判別するための磁気ヘッドなどの検出部２３などを備えた識別部２４が配置されている。また、装置ケース１１のケース本体部分１３の内部に位置している水平搬送路２２の部位の上側には、紙幣収納部２５が配置されている。換言すると、遊技島前面パネル９の背面側に挿入されているケース本体部分１３の内部に紙幣収納部２５が配置されている。水平搬送路２２に沿って水平に搬送されてきた紙幣Ｐを平面状態のままで上方に押し上げることにより、紙幣収納部２５に収納できる。この紙幣収納部２５においては、紙幣が水平な平面状態で上下方向に積層される。
【００３０】
ここで、図２に示すように、装置ケース１１の前端部分１２の内部に位置している水平搬送路２２の部位の前後には、それぞれ一対の搬送ローラ２６ａ、２６ｂ、２７ａ、２７ｂが配置されている。前側の搬送ローラ２６ａ、２６ｂの手前には紙幣センサ２８が配置されている。装置ケース１１のケース本体部分１３の内部に形成されている水平搬送路２２の部位にも、その前端部分に一対の搬送ローラ２９ａ、２９ｂが配置されており、当該部位の後端部分には紙幣センサ３０が配置されている。これら搬送ローラ２９ａ、２９ｂと紙幣センサ３０の間の水平搬送路２２の部位は紙幣一時保留部として機能する。ここに保持された紙幣は、その下側に配置されている紙幣押し上げ機構３１によって上方に押し上げられて、上側に位置している紙幣収納部２５に収納される。
【００３１】
紙幣の真偽判別、紙幣の搬送制御および紙幣押し上げ機構３１の制御は、入金装置制御部３２によって行われる。入金装置制御部３２は、紙幣挿入口２１から紙幣Ｐが挿入されたことを紙幣センサ２８により検出すると、搬送ローラ２６ａ、２６ｂを回転駆動して、紙幣Ｐを内部に搬送する。搬送される紙幣Ｐは識別部２４によって磁気特性などが読み取られる。制御部３２は読み取られた情報に基づき、紙幣Ｐの真偽を判別する。偽札であると判別された紙幣は、紙幣挿入口２１から排出される。真札であると判別された紙幣は搬送ローラ２９ａ、２９ｂによって水平搬送路２２の後端側に向けて搬送され、その前端が紙幣センサ３０によって検知されると、制御部３２は紙幣の搬送を停止して、そこに紙幣を一時的に保留する。この後は、紙幣押し上げ機構３１を駆動して、紙幣を水平状態のままで上方に所定量だけ押し上げる。これにより紙幣は、紙幣収納部に収納されてそのままの姿勢で最も下側位置に積層された状態になる。
【００３２】
ここで、識別部２４で真札であると判断された場合には、当該情報が通信回線３３を介して台間機７の制御部７ｃに送信される。識別部２４が金種識別機能も備わっている場合には、金種情報も送信される。台間機７の制御部７ｃでは、紙幣挿入に先立って挿入されているプリペイドカード（図示せず）に、挿入された紙幣に価格に対応する金額情報を追加する。なお、このような入金履歴情報は、台間機７から遊技島中継器３４を経由して管理コンピュータ１０に送信され、ここに蓄積される。また、遊技台５の制御部５ａからも、遊技履歴情報などが、台間機７を経由して管理コンピュータ１０に送信される。
【００３３】
このように構成した本実施の形態に係る遊技システム１において、その入金装置８は、最もスペースを必要とする紙幣収納部２５が内蔵されている部分が遊技島前面パネル９の背面側に挿入された状態で、当該遊技島前面パネル９に固定されている。従って、遊技島前面パネル９から前方に突出している前端部分１２の突出量Ｌ（図２参照）を小さくできる。よって、隣接位置に配置されている呼出ランプユニット６が、横方から見た場合に入金装置８によって遮られることがない。
【００３４】
また、入金装置８では、その紙幣挿入口２１から水平状態で短辺側の縁から長辺方向に沿って挿入された紙幣Ｐを、そのまま水平搬送路２２に沿って直線状に搬送し、しかる後に、そのままの姿勢で上方に押し上げ、紙幣収納部２５に収納している。従って、湾曲状などの複雑な搬送路に沿って紙幣を搬送する場合や、紙幣をロール状に丸めて収納する場合に比べて、紙幣詰まりが発生する惧れが極めて少なくなる。また、紙幣詰まりが発生した場合でも、紙幣搬送経路が単純であるので、その回復作業を極めて短時間のうちに行うことができる。
【００３５】
さらに、遊技店の閉店後において、ロック・アンロック機構１４によるロックを解除することにより、入金装置８を遊技島前面パネル９から外して取り出すことができるので、入金装置８の紙幣収納部２５に収納されている紙幣の回収作業も簡単にできる。また、前述したようにロック・アンロック機構１４を電子鍵のようなものにすれば、遊技店内を司る管理コンピュータからの司令によって、遊技店内全ての入金装置８や特定の遊技島に設置された入金装置８の一斉解錠をさせたり、特定の入金装置８を解錠させることも可能となり、閉店後の紙幣回収作業やメンテナンス作業が極めて簡単にできるようになる。
【００３６】
（入金装置の別の例）
図４は、上記の入金装置８の代わりに使用可能な入金装置を示す説明図である。本例の入金装置８Ａの基本構成は入金装置８と同様であるので、対応する部位には同一の符号を付し、それらの説明を省略する。本例の入金装置８Ａは、紙幣挿入口２１Ａから斜め上方に向けて紙幣Ｐを挿入するようになっている。この方向に合わせて、装置ケース１１Ａの内部に形成されている紙幣搬送路も斜め上方に向けて傾斜した直線状の紙幣搬送路２２Ａとされている。また、この紙幣搬送路２２Ａの後端部分の上側には紙幣収納部２５Ａが配置されている。紙幣搬送路２２Ａに沿って搬送されてきた紙幣は、当該搬送方向に対して直交する方向に押し上げられて紙幣収納部２５Ａに収納されるようになっている。
【００３７】
この構成の入金装置８Ａによっても、上記の入金装置８と同様な効果を得ることができる。また、紙幣Ｐを斜め下側から挿入できるので、遊技者にとっては上側に配置されている入金装置８Ａに対して紙幣Ｐを挿入しやすいという利点がある。また、紙幣収納部２５Ａは、遊技島前面パネル９Ａの背面側から斜め上方に傾斜した状態になるので、直交する方向（図１〜３の例では水平方向）に突出している場合に比べて、突出量を少なくできる。従って、遊技島前面パネル９Ａの背面側のスペースが狭い場合などには、紙幣収納部２５Ａを上方あるいは下方に傾斜させて背面側への突出量を少なくすることにより、対応できる。
【００３８】
図５は、入金装置８の代わりに使用可能な別の入金装置を示す説明図である。本例の入金装置８Ｂの基本構成は入金装置８と同様であるので、対応する部分には同一の符号を付し、特徴となる部分のみを以下に説明する。本例の入金装置８では、装置ケース１１Ｂの前端部分１２Ｂから後方に延びているケース本体部分１３Ｂが下方に向けて傾斜した方向に延びている。このケース本体部分１３Ｂの内部に、紙幣収納部２５Ｂが内蔵されている。装置ケース１１Ｂの前端部分１２Ｂの前面１５Ｂに形成されている紙幣挿入口２１Ｂに対しては、斜め下側から上方に向けて紙幣Ｐを挿入可能となっている。
【００３９】
この紙幣挿入口２１Ｂから挿入された紙幣Ｐを紙幣収納部２５Ｂに向けて搬送する紙幣搬送路２２Ｂは、装置ケースの前端側部分１２Ｂの内部では斜め上方に向けて傾斜した方向に直線状に延びる上方傾斜搬送路部分２２１とされ、当該部分２２１の後端部分からは円弧状に下方に湾曲した湾曲状搬送路部分２２２とされ、これに連続した部分が下方に向けて傾斜した方向に直線状に延びる下方傾斜搬送路部分２２３とされている。
【００４０】
なお、この構成の入金装置８Ｂにおいては、紙幣の搬送路が直線状ではなく一部分が円弧状となっているものの、全体としては単純な搬送路である。従って、入金装置８と同様な効果を得ることができる。また、本例の入金装置８Ｂでは、遊技島前面パネル９Ｂの背面側に挿入されているケース本体部分１３Ｂが、上記の入金装置８Ａの場合よりも大きな傾斜角度で下方に傾斜している。従って、遊技島前面パネル９Ｂの背面側からの突出量Ｌ１を小さくすることができる。よって、遊技島前面パネル９Ｂの背面側のスペースが少ない場合に適している。さらに、上側から紙幣収納部２５Ｂに紙幣が収納されるので、入金装置８の紙幣押し上げ機構３１のような機構を省略できる。
【００４１】
なお、本例の入金装置８Ｂは、図５（ｂ）に示すように、装置ケース１１Ｂに形成されている、遊技島前面パネル９Ｂの開口部９ａの内周縁部分に当接している矩形枠状の広幅フランジ１１１の下端を中心として上側を矢印Ａで示すように前方に旋回させながら、矢印Ｂで示すように、全体を斜め上方に引き出すことにより、当該開口部９ａからケース本体部分１３Ｂを引き抜くことができる。
【００４２】
次に、図６は、上記の入金装置８の代わりに使用可能な更に別の入金装置を示す説明図である。本例の入金装置８Ｃの基本構成は入金装置８と同一であるので、対応する部位には同一の符号を付し、それらの説明を省略する。本例の入金装置８Ｃにおいては、その前面１５Ｃの上端部分に、斜め下方から上方に向けて紙幣Ｐを挿入する紙幣挿入口２１Ｃが形成されている。また、この前面１５Ｃにおける紙幣挿入口１５Ｃの下側には長方形の開口部１５１が形成されている。この長方形の開口部１５１を介して、装置ケース１１Ｃ内に、斜め下側から上方に向けて直方体形状の紙幣収納用カセット２５Ｃが着脱可能な状態で装着されている。装着された紙幣収納用カセット２５Ｃは、前述の入金装置８のロック・アンロック機構１４と同様な構造のロック・アンロック機構１４Ｃによって、装置ケース１１Ｃに固定されている。
【００４３】
装置ケース１１Ｃの内部に形成されている紙幣搬送路２２Ｃは、紙幣挿入口２１Ｃから挿入された紙幣Ｐを挿入方向に沿って斜め上方に向けて直線状に案内する搬送路部分２２４と、この後端から直交方向に折れ曲がっている搬送路部分２２５と、この後端から前方に向けて斜め下方に傾斜した方向に延びている搬送路部分２２６とを有している。搬送路部分２２６の下側には、着脱可能な紙幣収納用カセット２５Ｃの紙幣収納口２５１が開口している。
【００４４】
この構成の入金装置８Ｃにおいても、紙幣搬送路２２Ｃは多少複雑にはなるものの、上記の入金装置８と同様な効果を得ることができる。また、上側から紙幣を紙幣収納用カセット２５Ｃに収納できるので、入金装置８の紙幣押し上げ機構３１のような機構が不要である。さらに、紙幣収納部が装置ケース１１Ｃに対して着脱可能な紙幣収納用カセット２５Ｃとされているので、紙幣の回収作業が簡単になるという利点がある。
【００４５】
【発明の効果】
以上説明したように、本発明の遊技台用台間機の入金装置では、遊技島前面パネルに形成した開口部から紙幣収納部などの部分を背面側に挿入した状態で、当該入金装置が遊技島前面パネルに取り付けられている。従って、遊技島前面パネルから前方への突出量を少なくできる。よって、隣接した位置に配置されている呼出ランプユニットを横方から見る場合に、入金装置に邪魔されて当該呼出ランプユニットが見えない、あるいは見えにくくなるといった弊害を解消できる。
【００４６】
また、本発明では、紙幣挿入口から挿入された紙幣を直線状の紙幣搬送路に沿って平面状態のままで搬送し、同じく平面状態のままで紙幣収納部に収納するようにしている。従って、紙幣をロール状に巻き取った状態で収納する場合の紙幣搬送機構や紙幣収納機構に比べて、紙幣の搬送機構が単純化されるので、紙幣詰まりの発生を回避あるいは抑制できる。
【００４７】
さらに、本発明では、入金装置を遊技島前面パネルに対してロック・アンロック機構によって着脱可能な状態で取り付けてある。あるいは、入金装置の紙幣収納部を当該入金装置に対して着脱可能な状態で装着してある。この構成によれば、収納されている紙幣の回収作業も簡単に行うことができる。
【図面の簡単な説明】
【図１】本発明を適用した入金装置を備えた遊技システムを示す部分正面図である。
【図２】図１の遊技システムの入金装置の構成を制御系と共に示す説明図である。
【図３】図１の遊技システムの入金装置を取り出して示す斜視図である。
【図４】図１の入金装置の代わりに使用可能な入金装置の例を示す説明図である。
【図５】図１の入金装置の代わりに使用可能な入金装置の別の例を示す説明図、および当該入金装置を取り外す際の動作を示す説明図である。
【図６】図１の入金装置の代わりに使用可能な入金装置のさらに別の例を示す説明図である。
【符号の説明】
１    遊技システム
２    遊技島
３    遊技島取り付け枠
４    遊技ユニット
５    遊技台
６    呼出ランプユニット
７    台間機
７ａ  カード挿入口
７ｂ  操作部
７ｃ  制御部
８、８Ａ、８Ｂ、８Ｃ    入金装置
９    遊技島前面パネル
９ｂ  開口部
１０  管理コンピュータ
１１、１１Ａ、１１Ｂ  装置ケース
１２  装置ケースの前端部分
１３  装置ケースのケース本体部分
１４  ロック・アンロック機構
１５  装置ケースの前面
２１、２１Ａ、２１Ｂ、２１Ｃ  紙幣挿入口
２２、２２Ａ、２２Ｂ、２２Ｃ  紙幣搬送路
２３  検出部
２４  識別部
２５、２５Ａ、２５Ｂ  紙幣収納部
２５Ｃ  紙幣収納用カセット
２５１  紙幣収納口
２８、３０  紙幣センサ
３１  紙幣押し上げ機構
【図１】
2004195036.tif 000003
【図２】
2004195036.tif 000004
【図３】
2004195036.tif 000005
【図４】
2004195036.tif 000006
【図５】
2004195036.tif 000007
【図６】
2004195036.tif 000008